(57)【要約】【課題】操作つまみをスムーズに摺動することが可能となり、使い勝手の良いコントローラを提供することを目的とする。【解決手段】立面に操作開口２０６を備えたケース３００と、電気採暖具１００を操作する複数の操作機器２０３と、操作機器２０３をケースの外部から操作する操作つまみ２１０とを含み、操作つまみ２１０は少なくとも操作開口２０６より幅の広い摺動部２１４を両側に延出して一体に備え、操作つまみ２１０が相互に近接した操作位置においては、摺動部２１４の一部が相互に重なり合った状態で配置されることにより、操作つまみは傾きの発生を抑制することができるので、操作つまみをスムーズに摺動させることができる。しかも複数の操作機器と操作つまみを近接して配置することが可能となり、コントローラを小型化することが可能となる。【選択図】図５
2012177528.tif 000002
【特許請求の範囲】
【請求項１】
立面に操作開口を備えたケースと、
前記ケース内に内蔵され、電気採暖具を操作する複数の操作機器と、
複数の前記操作機器を、前記操作開口を介して前記ケースの外部から操作する操作つまみと、を含み、
前記操作つまみは、前記操作開口に沿って所定範囲の操作位置に摺動可能とし、
前記操作つまみは、少なくとも前記操作開口より幅の広い摺動部を両側に延出して一体に備え、前記摺動部は前記ケースの一部に当接して摺動する構成とし、
前記操作つまみが相互に近接した前記操作位置においては、前記摺動部の一部が相互に重なり合った状態で配置される構成の、
電気採暖具のコントローラ。
【請求項２】
前記操作つまみは、前後に異なる位置に２個の摺動部を備えた、
請求項１に記載の電気採暖具のコントローラ。
【請求項３】
前記操作の摺動部とは、いずれの前記操作位置においても、前記操作開口の略全面を閉塞する構成の、
請求項１または２に記載の電気採暖具のコントローラ。
【発明の詳細な説明】
【技術分野】
【０００１】
本発明は、操作つまみの操作を安定させる機構を備えた電気採暖具のコントローラに関するものである。
【背景技術】
【０００２】
従来、この種の電気採暖具のコントローラは、コントローラのケースの側面にスリット状の操作開口を設け、操作開口を介して操作つまみをケース内部に挿入し、ケース内部に設置したスイッチやスライド抵抗等の操作機材を操作つまみで操作する構成とし、操作開口の内側にリブ状の支持台が設けられている。操作つまみは開口上辺の下端と支持台の上端を跨ぐように蛇行した断面形状に形成されており、コントローラの内部に配置されたスイッチやスライド抵抗等の操作機材と連接されている。このような構成とすることにより、操作つまみ５はケース２の開口上辺２ａと支持台４をガイドとして摺動する構成となっている（例えば、特許文献１参照）。
【０００３】
図１３（ａ）は特許文献１に記載された従来の電気採暖具のコントローラの断面を示すものであり、（ｂ）操作つまみの外観の斜視図を示すものである。
【０００４】
図に示すように、コントローラ１はケース２の開口上辺２ａの下方に操作開口３が開口しており、操作開口３の内部に支持台４が設置されている。支持台４の上端は開口上辺２ａの下端より高い位置に配置されている。操作つまみ５は開口上辺２ａの下端と支持台４の上端を跨ぐように蛇行した断面形状に形成されており、操作つまみ５のケース２の内側は連接部５ａ一体にされた形成されており、連接部５ａにはスライド抵抗６のレバー６ａと契合する係合孔５ｂとスイッチ７の操作レバー７ａと当接する操作片５ｃが形成されている。
【先行技術文献】
【特許文献】
【０００５】
【特許文献１】特開平４−２７４１８６号公報
【発明の概要】
【発明が解決しようとする課題】
【０００６】
しかしながら、前記従来の構成では、操作つまみの幅は、摺動範囲を確保するために狭い幅に形成されており、しかも操作片の後端部にスイッチやスライド抵抗の操作力が作用するため、操作つまみがスムーズの摺動できないことが発生し、この点において改良の余地があった。
【０００７】
本発明は、前記従来の課題を解決するもので、操作つまみのスムーズな摺動が可能な電気採暖具のコントローラを提供することを目的とする。
【課題を解決するための手段】
【０００８】
前記従来の課題を解決するために、本発明の電気採暖具のコントローラは、立面に操作開口を備えたケースと、ケース内に内蔵され、電気採暖具を操作する複数の操作機器と、複数の操作機器を、操作開口を介してケースの外部から操作する操作つまみと、を含み、操作つまみは、操作開口に沿って所定範囲の操作位置に摺動可能とし、操作つまみは、少なくとも操作開口より幅の広い摺動部を両側に延出して一体に備え、摺動部はケースの一部に当接して摺動する構成とし、操作つまみが相互に近接した操作位置においては、摺動部の一部が相互に重なり合った状態で配置される構成の、電気採暖具のコントローラであ
る。
【０００９】
これにより、操作つまみは操作開口より幅の広い摺動部をケースに当接させながら摺動させることにより傾きの発生を抑制することができるので、操作つまみをスムーズに摺動させることができる。しかも操作つまみ同士が近接した場合には摺動部が相互に重なり合うため、複数の操作機器と操作つまみを近接して配置することが可能となり、コントローラを小型化することが可能となる。
【発明の効果】
【００１０】
本発明の電気採暖具のコントローラは、操作つまみをスムーズに摺動することが可能となり、使い勝手の良いコントローラを提供することができる。
【図面の簡単な説明】
【００１１】
【図１】本発明の実施の形態１における電気採暖具の外観を示す斜視図
【図２】本発明の実施の形態１におけるコントローラの外観を示す斜視図
【図３】本発明の実施の形態１におけるコントローラの上ケースの下面図
【図４】本発明の実施の形態１におけるコントローラの下ケースの平面図
【図５】本発明の実施の形態１におけるコントローラの操作部の内部示す斜視図
【図６】本発明の実施の形態１におけるコントローラの操作部の内部示す下面図
【図７】本発明の実施の形態１におけるスイッチ操作つまみの斜視図
【図８】図６に示すＡＡ断面図
【図９】本発明の実施の形態１における抵抗操作つまみの斜視図
【図１０】図６に示すＢＢ断面図
【図１１】本発明の実施の形態１におけるコントローラのスイッチ操作つまみが左端の操作位置にあり、抵抗操作つまみが右端の操作位置にある状態を示す下面図
【図１２】本発明の実施の形態１におけるコントローラのスイッチ操作つまみが右端の操作位置にあり、抵抗操作つまみが左端の操作位置にある状態を示す下面図
【図１３】（ａ）は従来の電気採暖具のコントローラの断面図、（ｂ）は操作つまみの外観を示す斜視図
【発明を実施するための形態】
【００１２】
第１の発明は、立面に操作開口を備えたケースと、前記ケース内に内蔵され、電気採暖具を操作する複数の操作機器と、複数の前記操作機器を、前記操作開口を介して前記ケースの外部から操作する操作つまみと、を含み、前記操作つまみは、前記操作開口に沿って所定範囲の操作位置に摺動可能とし、前記操作つまみは、少なくとも前記操作開口より幅の広い摺動部を両側に延出して一体に備え、前記摺動部は前記ケースの一部に当接して摺動する構成とし、前記操作つまみが相互に近接した前記操作位置においては、前記摺動部の一部が相互に重なり合った状態で配置される構成の、電気採暖具のコントローラである。
【００１３】
これにより、操作つまみは操作開口より幅の広い摺動部をケースに当接させながら摺動させることにより傾きの発生を抑制することができるので、操作つまみをスムーズに摺動させることができる。しかも操作つまみ同士が近接した場合には摺動部が相互に重なり合うため、複数の操作機器と操作つまみを近接して配置することが可能となり、コントローラを小型化することが可能となる。
【００１４】
第２の発明は、特に第１の発明において、前記操作つまみは、前後に異なる位置に２個の摺動部を備えたものである。
【００１５】
これにより、幅の狭い摺動部でも当接面積を増やすことができるため、より安定して傾
きの発生を抑制することができ、操作つまみをよりスムーズに摺動させることができる。
【００１６】
第３の発明は、特に第１または第２の発明において、前記摺動部は、いずれの前記操作位置においても、前記操作開口の略全面を閉塞する構成としたものである。
【００１７】
これにより、操作開口は常時閉塞された状態となるため、操作開口から水や埃が侵入することを抑制することができ、コントローラ内部での漏電や操作機器の損傷を抑制することができ安全性を向上することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における電気採暖具の外観を示す斜視図である。図２は電気採暖具のコントローラの外観を示す斜視図である。
【００２０】
＜１＞電気採暖具の構成
図１に示すように、電気採暖具１００は複数のシート状の部材で構成した略長方形の本体１１０の角部にコントローラ２００が配設されており、コントローラの右側面には電気採暖具１００に電源を供給する電源コード１２０がコネクタを介して着脱自在に接続されている。コントローラ２００に接続した電源コード１２０で電力を供給することにより本体１１０を加熱し、住宅の床面に設置して使用する採暖具である。
【００２１】
電気採暖具１００の本体１１０は、表面材１１１とヒータユニット（図示せず）と断熱シート（図示せず）と裏面材（図示せず）等を主な構成部材とする積層体で構成されている。
【００２２】
ヒータユニットは、電気採暖具の発熱源であり、アルミニュームを主成分とする均熱シート（図示せず）の片面にヒータ線を（図示せず）蛇行形状に配設して接着固定したものである。
【００２３】
均熱シートは、ヒータ線で発熱した熱を本体１１０全面に均一に拡散する目的の部材であり、熱伝導率が高い金属シートであるアルミニュームを主成分とする厚さ約０．０１ｍｍのアルミシートである。
【００２４】
ヒータ線は、中心のガラス繊維（図示せず）の周囲に温度を検知する検知線（図示せず）を螺旋状に巻回し、その外周にナイロン樹脂で絶縁層（図示せず）を形成し、絶縁層の外周に発熱線（図示せず）を螺旋状に巻回し、その外周にＰＶＣの絶縁層（図示せず）を形成し、絶縁層の外周にポリエチレン樹脂による接着層（図示せず）を形成したものである。
【００２５】
本体１１０の角部に設置したコントローラ２００には電源コードとヒータユニットの発熱線と検知線が接続されており、ヒータユニットへの電源の「入」、「切」の操作機能と、温度設定機能と、電源の「入」、「切」の状態を表示する表示機能を備えている。
【００２６】
＜２＞コントローラの構成
図２は電気採暖具のコントローラの外観を示す斜視図であり、図３はコントローラの上ケースの下面図を示すものであり、図４はコントローラの下ケースの平面図を示すものであり、図５はコントローラの操作部の内部を示す斜視図であり、図６はコントローラの操作部の内部示す下面図であり、図７はスイッチ操作つまみの斜視図を示すものであり、図
８は図６のＡＡ断面図を示すものであり、図９は抵抗操作つまみの斜視図を示すものであり図１０は図６のＢＢ断面図である。
【００２７】
図２に示すように、コントローラ２００の前面と上面との角部には操作部２０１が設置されており、操作部２０１には電気採暖具１００の電源の「入」、「切」を操作するスイッチ操作つまみ２１０と、温度設定を行う抵抗操作つまみ２２０が横方向に摺動可能に配置されている。また、コントローラ２００の上面には電気採暖具１００の電源の状態を表示する表示部２０２が配置されている。
【００２８】
コントローラ２００は樹脂材料で成型されたケース３００の内部に、電気採暖具１００の電源を「入」、「切」する操作機器であるプッシュタイプの電源スイッチ２０３と、本体１１０の発熱温度の設定を調節する操作機器であるスライド抵抗２０４と、検知線の検知データに基づき発熱線の通電を制御する制御部（図示せず）等が配置された制御基板２０５等が内蔵されている。電源スイッチ２０３は上面に突出した操作片２０３ａを下方に押し下げることにより接点が接続され電源が「入」状態となるプッシュタイプのマイクロスイッチを採用している。
【００２９】
なお、本実施の形態においては図２に示すように表示部２０２を配置した上面の側を上方とし、スイッチ操作つまみ２１０と抵抗操作つまみ２２０を配置した前面の側を前方とし、反対方向を後方し、前方から後方に向かって右側を右側、後方に向かって左側を左側として各構成要素の配置を説明する。
【００３０】
ケース３００は略箱形状の上ケース３１０と略平板状の下ケース３２０をねじにより結合させて内部に空洞部が形成される構成となっている。
【００３１】
上ケース３１０は下面が開口の箱形状であり、略鉛直な立面をなす前面と略水平な上面との角部に形成された操作部２０１は、上面と前面が他の部分より凹陥して形成されている。操作部２０１の上面の後端部には摺動溝３１１が形成されており、スイッチ操作つまみ２１０と抵抗操作つまみ２２０の後端部に形成された係止部２１１、２２１を挿入することにより、スイッチ操作つまみ２１０と抵抗操作つまみ２２０の上ケース３１０からの脱落防止とスムーズな摺動が可能な構成となっている。また、操作部２０１の前面壁の下端には略長方形の切り欠き部３１２が形成されており、上ケース３１０と下ケース３２０の接合部に略長方形の操作開口が開口する構成となっている。
【００３２】
図３に示すように、上ケース３１０の内部には、操作部２０１の後方に前面壁から所定の間隔で前面壁と平行な２個のリブが形成されている。リブは抵抗操作つまみ２２０の摺動範囲に設けられた抵抗リブ３１３と、操作部２０１の全体に亘って設けられた摺動リブ３１４であり、抵抗リブ３１３は上ケース３１０の前面壁と摺動リブ３１４の間に設けられている。抵抗リブ３１３の下端は上ケース３１０の切り欠き部３１２の下端と同じ高さであり、摺動リブ３１４の下端はそれより高い位置となっている。
【００３３】
摺動リブ３１４の後面には、スイッチ操作つまみ２１０の摺動範囲に対応する部分に２個の突起３１５が設けられており、スイッチ操作つまみ２１０の摺動時にクリック感を発生させるために使用される。
【００３４】
上ケース３１０の上面には、透明材料で成型された表示部２０２が配置されており、制御基板２０５に配置されたＬＥＤの光が外部から視認できる構成となっている。
【００３５】
図４に示すように、下ケース３２０は略長方形の平板状であり、周縁には上ケースと接合する外周壁が形成されるとともに、操作部２０１に対応する部分には上面が平坦な摺動
面３２２が形成されており、摺動面３２２に沿ってスイッチ操作つまみ２１０と抵抗操作つまみ２２０がスムーズに摺動可能な構成となっている。
【００３６】
摺動面３２２の中間部分にはスイッチ操作つまみ２１０と抵抗操作つまみの２２０の摺動範囲を区分けする分割リブ３２３が設けられている。上ケース３１０と下ケース３２０を結合した状態においては、分割リブ３２３は上ケース３１０の切り欠き部３１２の一部を閉塞することにより、スイッチ操作開口２０６と抵抗操作開口２０７の２つの操作開口を形成する。
【００３７】
また摺動面３２２の後方には所定の間隔で前面と平行に上方に突起した防水リブ３２４が一体に成型されており、スイッチ操作開口２０６および抵抗操作開口２０７から進入した水がコントローラ２００内部に流入することを防止する構成となっている。
【００３８】
図７に示すように、スイッチ操作つまみ２１０は樹脂材料により一体で成型されたものである。スイッチ操作つまみ２１０は、上ケース３１０の外面に配置される本体部２１２と、本体部２１２の下端から後方に向かって屈曲させながら延設され電源スイッチ２０３に連接される連接部２１３と、連接部２１３の途中に配置され左右に延設された平面で上ケース３１０の内面に当接して摺動するとともにスイッチ操作開口２０６を閉塞する第１摺動部２１４と、連接部２１３の途中に配置され左右に延設した平面で上ケース３１０の摺動リブ３１４に当接して摺動する第２摺動部２１５と、連接部２１３の途中に配置され左右に延設して設けられ両端部に略半円柱状に形成された突起を有し樹脂材料の弾性を利用して摺動リブ３１４に設けられた突起３１５に対応してクリック感を発生させる押圧部２１６が一体で形成されている。
【００３９】
連接部２１３の後端部には下面の一部が傾斜面を備えた連動部２１８が形成されており、スイッチ操作つまみ２１０が横方向に摺動することにより電源スイッチ２０３の操作片２０３ａを傾斜面に沿って押し下げることにより電源スイッチ２０３の「入」、「切」の操作が行われる構成となっている。
【００４０】
本体部２１２の中央部には操作時に指を掛ける操作突起２１７と本体部２１２の後端部には上ケース３１０に形成された摺動溝３１１に挿入する係止部２１１が一体で形成されている。また第１摺動部２１４と第２摺動部２１５はスイッチ操作つまみ２１０の両側方向に上ケース３１０の前面壁と平行な平板を延出するように設けられており、第１摺動部２１４および第２摺動部２１５の幅寸法はスイッチ操作つまみ２１０が摺動する距離の２倍と本体部２１２の幅を加えた寸法以上を備えている。
【００４１】
図８に示すように、上記構成のスイッチ操作つまみ２１０は、本体部２１２は上ケース３１０に形成された操作部２０１の外面の曲面に沿うように配置され、本体部２１２の後端部に形成された係止部２１１が摺動溝３１１に挿入されている。スイッチ操作つまみ２１０は上ケース３１０の前面壁を包み込むようにスイッチ操作開口２０６から上方に回り込み、前方には上部が上ケース３１０の前面壁の内面に当接し、下部がスイッチ操作開口２０６を閉塞する第１摺動部２１４が配置されており、後方には上ケース３１０の摺動リブ３１４に当接して第２摺動部２１５が配置されている。
【００４２】
上ケースの摺動リブ３１４の後方には押圧部２１６が配置されており第２摺動部２１５と押圧部２１６で摺動リブ３２４を狭持している。押圧部２１６の後方に延伸した連接部２１３の後端部に設けられた傾斜面には、制御基板２０５に固定された電源スイッチ２０３の操作片２０３ａが当設しており、スイッチ操作つまみ２１０を左右に移動させることにより、電源スイッチを「入」、「切」することができる。
【００４３】
図９に示すように、抵抗操作つまみ２２０は樹脂材料により一体で成型されたものである。抵抗操作つまみ２２０は、上ケース３１０の外面に配置される本体部２２２と、本体部２２２の下端から後方に向かって屈曲させながら延設されスライド抵抗２０４に連接される連接部２２３と、連接部２２３の途中に配置され左右に延設された平面で抵抗リブ３１３に当接して摺動するとともに抵抗操作開口２０７を閉塞する摺動部２２４と、連接部２２３の途中に配置され左右に延設して設けられ樹脂材料の弾性を利用して抵抗操作つまみ２２０を上ケース３１０の操作部２０１に適度な圧力で密接させる押圧部２２６とが一体で形成されている。
【００４４】
本体部２２２の中央部には操作時に指を掛ける操作突起２２７と本体部２２２の後端部には上ケース３１０に形成された摺動溝３１１に挿入する係止部２２１が一体で形成されている。また摺動部２２４は抵抗操作つまみ２２０の両側方向に上ケース３１０の前面壁と平行な平板を延出するように設けられており、摺動部２２４の全幅寸法はスライド抵抗２０４の操作片２０４ａが摺動する距離の２倍と本体部２２２の幅を加えた寸法以上を備えている。また連接部２２３の後端部にはスライド抵抗２０４の操作片２０４ａを嵌入する嵌合孔２２５が設けられており抵抗操作つまみ２２０とスライド抵抗２０４が連接可能な構成となっている。
【００４５】
図１０に示すように、上記構成の抵抗操作つまみ２２０は、本体部２２２は上ケース３１０に形成された操作部２０１の外面の曲面に沿うように配置され、本体部２２２の後端部に形成された係止部２２１が摺動溝３１１に挿入されている。抵抗操作つまみ２２０は上ケース３１０の前面壁と抵抗リブ３１３を包み込むように抵抗操作開口２０７から抵抗リブ３１３に沿って上方に回り込み、摺動部２２４の上部が抵抗リブ３１３に当接するとともに下部は抵抗操作開口２０７を閉塞するように配置されている。
【００４６】
上ケース３１０の摺動リブ３１４の後方には押圧部２２６が配置されており抵抗操作つまみ２２０を上ケース３１０の前面壁と摺動リブ３１４間で狭持している。押圧部２２６の後方に延伸した連接部２２３の後端部に設けられた嵌合孔２２５には、制御基板２０５上に固定されたスライド抵抗２０４の操作片２０４ａが嵌入されており、抵抗操作つまみ２２０を左右に移動させることにより、スライド抵抗２０４の抵抗値を変化させることで、電気採暖具１００の温度設定を調節することができる。
【００４７】
＜３＞コントローラの動作および作用
図１１は、スイッチ操作つまみ２１０と抵抗操作つまみ２２０を上ケース３１０に設置した状態でスイッチ操作つまみ２１０は電源が「切」の状態である左端の操作位置にあり、抵抗操作つまみ２２０は設定温度が最高の設定である右端の操作位置にある状態を示す上ケース３１０の下面図を示すものでありある。
【００４８】
図１２は、スイッチ操作つまみ２１０と抵抗操作つまみ２２０を上ケース３１０に設置した状態でスイッチ操作つまみ２１０は電源が「入」の状態である右端の操作位置にあり、抵抗操作つまみ２２０は設定温度が最低の設定である左端の操作位置にある状態を示す上ケース３１０の下面図を示すものである。
【００４９】
図１１に示す操作位置は、スイッチ操作つまみ２１０と抵抗操作つまみ２２０が最も近接した状態を示すものであり、図に示すように、スイッチ操作つまみ２１０の第１摺動部２１４は全幅に亘って上ケース３１０の前面壁の内面に当接し、第２摺動部は全幅に亘って摺動リブ３１４に当接している、また、第１摺動部２１４は主に右側半分でスイッチ操作開口２０６の全面を閉塞している。
【００５０】
抵抗操作つまみ２２０の摺動部２２４は主に左側半分は抵抗リブに当接するとともに抵
抗操作開口２０７の全面を閉塞している。また、スイッチ操作つまみ２１０の第１摺動部２１４と抵抗操作つまみ２２０の摺動部２２４は分割リブ３２３の後方で重なり合った状態である。
【００５１】
図１２に示す操作位置は、スイッチ操作つまみ２１０と抵抗操作つまみ２２０が最も離れた状態を示すものであり、図に示すように、スイッチ操作つまみ２１０の第１摺動部２１４は全幅に亘って上ケース３１０の内面に当接し、第２摺動部は全幅に亘って摺動リブ３１４に当接している。また、第１摺動部２１４の主に左側半分でスイッチ操作開口２０６の全面を閉塞している。
【００５２】
抵抗操作つまみ２２０の摺動部２２４の主に右側半分は抵抗リブに当接するとともに抵抗操作開口２０７の全面を閉塞している。また、スイッチ操作つまみ２１０の第１摺動部２１４と抵抗操作つまみ２２０の摺動部２２４が配置されていない部分は分割リブ３２３の後方に位置しており、この部分は分割リブ３２３により閉塞されている。
【００５３】
このように、スイッチ操作つまみ２１０と抵抗操作つまみ２２０がいずれの操作位置にある場合も、スイッチ操作つまみの第１摺動部と第２摺動部は全幅に亘って上ケース３０１の内面あるいは摺動リブと当接し、抵抗操作つまみの摺動部の略半分は抵抗リブと当接している。また、スイッチ操作開口２０６と抵抗操作開口２０７は閉塞された状態となっていることが示されている。
【００５４】
また、図８および図１０で示すように、スイッチ操作つまみ２１０の第１摺動部２１４と抵抗操作つまみ２２０の摺動部２２４の下端は下ケース３２０の摺動面３２２に当接しており、上端は操作開口２０６の上端より高い位置に配置されるようになっている。このような構成とすることにより、操作開口２０６はスイッチ操作つまみ２１０の第１摺動部２１４と抵抗操作つまみ２２０の摺動部２２４で操作開口２０６の全面が閉塞された状態となっていることが示されている。
【００５５】
また、図１１に示すスイッチ操作つまみ２１０と抵抗操作つまみ２２０とが最も近接した状態でのそれぞれの中心間の距離Ｗ１は２４ｍｍである。また図１２に示すスイッチ操作つまみ２１０と抵抗操作つまみ２２０とが最も離れた状態でのそれぞれの中心間の距離Ｗ２は６０ｍｍである。
【００５６】
スイッチ操作つまみ２１０の摺動距離をＤ１とし、抵抗操作つまみの摺動距離をＤ２とした場合、Ｄ１＋Ｄ２＝Ｗ２−Ｗ１の関係となり、Ｄ１＋Ｄ２は３６ｍｍとなる。
【００５７】
通常の構成でスイッチ操作つまみ２１０の第１摺動部２１４と抵抗操作つまみ２２０の摺動部２２４が相互に重なり合わない構成の場合、スイッチ操作つまみと抵抗操作つまみが最も近接した場合の中心間の距離はＤ１＋Ｄ２であり、本実施の形態に使用した電源スイッチ２０３とスライド抵抗２０４を使用した場合３６ｍｍ以上となる。
【００５８】
それに対して本実施の形態の摺動部が相互に重なり合う構成とすることにより、スイッチ操作つまみと抵抗操作つまみが最も近接する距離Ｗ１は２４ｍｍであり、摺動部が重なり合う構成とすることが、コントローラ２００を小型化するために有効な構成となっている。
【００５９】
上記のように、本実施例の構成においては、スイッチ操作つまみ２１０を操作した場合、スイッチ操作つまみ２１０の第１摺動部２１４は上ケース３１０の前面壁の内面に当接しながら摺動し、第２摺動部２１５は上ケース３１０に設けられた摺動リブ３１４に沿って摺動する構成である。第１摺動部２１４と第２摺動部２１５は本体部２１２より大きい
幅を有しており、スイッチ操作つまみ２１０の操作時の傾きを抑制することができるため、スイッチ操作つまみ２１０をスムーズに操作できる。
【００６０】
また、抵抗操作つまみ２２０を操作した場合、抵抗操作つまみ２２０の摺動部２２４は上ケース３１０に設けられた抵抗リブ３１３に当接しながら摺動する構成である。摺動部２２４は抵抗操作開口２０７の幅以上の寸法で抵抗リブと当接しており、抵抗操作つまみ２２０の操作時の傾きを抑制することができるため、スイッチ操作つまみ２１０をスムーズに操作できる。
【００６１】
また、スイッチ操作つまみ２１０と抵抗操作つまみ２２０がいずれの操作位置にある場合でも、スイッチ操作つまみ２１０の第１摺動部２１４と抵抗操作つまみ２２０の摺動部２２４で操作開口２０６の全面を閉塞することが可能であり、コントローラ２００の前面から飛び跳ねるように掛けられた水が、操作開口２０６からコントローラ２００内部に浸入することを防止することができ、防水機能を備えたコントローラを小型で実施することができ、安全性の高いコントローラを提供することができる。
【００６２】
また、図８および図１０に示すように、操作開口２０６の後方には下ケース３２０と一体に形成された防水リブ３２４が配置されており、スイッチ操作つまみ２１０の第１摺動部２１４と抵抗操作つまみ２２０の摺動部２２４と下ケース３２０の摺動面３２２との間からしみ込んだ水がコントローラ２００の内部に進入することを防止することができる。
【００６３】
また、図１１に示す電源スイッチが「切」の状態から、図１２に示す電源スイッチが「入」の状態になるようにスイッチ操作つまみ２１０を操作した場合、スイッチ操作つまみ２１０の押圧部２１６に設けられた突起が摺動リブ３１４の突起３１５を乗り越えることにより操作中にクリック感を得ることができスイッチの「入」、「切」を感覚的に認知することができるとともに、不用意にスイッチが「入」または「切」なることを防止することができ安全性を向上することができる。
【００６４】
なお、本実施の形態においては、コントローラ内に設置する操作機器としては電源スイッチとスライド抵抗の２個を設置したが、これに限るものではなく、例えば、本体の加熱範囲を切り替える切り替えスイッチや加熱範囲毎の温度調整を行なう複数のスライド抵抗等を配置した場合にも同様の効果を得ることができる。
【産業上の利用可能性】
【００６５】
以上のように、本発明にかかる電気採暖具のコントローラは、操作つまみの摺動操作をスムーズにすることが可能となるので、電気採暖具以外の電気機器のコントローラ等の用途にも適用できる。
【符号の説明】
【００６６】
１００  電気採暖具
２００  コントローラ
２０３  電源スイッチ（操作機器）
２０４  スライド抵抗（操作機器）
２０６  スイッチ操作開口（操作開口）
２０７  抵抗操作開口（操作開口）
２１０  スイッチ操作つまみ（操作つまみ）
２１４  第１摺動部（摺動部）
２１５  第２摺動部（摺動部）
２２０  抵抗操作つまみ（操作つまみ）
２２４  摺動部
３００  ケース
【図１】
2012177528.tif 000003
【図２】
2012177528.tif 000004
【図３】
2012177528.tif 000005
【図４】
2012177528.tif 000006
【図５】
2012177528.tif 000007
【図６】
2012177528.tif 000008
【図７】
2012177528.tif 000009
【図８】
2012177528.tif 000010
【図９】
2012177528.tif 000011
【図１０】
2012177528.tif 000012
【図１１】
2012177528.tif 000013
【図１２】
2012177528.tif 000014
【図１３】
2012177528.tif 000015